(57)【要約】【課題】媒体を高精度に位置決めし、給紙不良や記録処理不良を生じることなく、給紙及び記録処理を円滑かつ良好に行うことが可能な給紙部及びそれを備えた記録装置を提供する。【解決手段】装置ケースの側面から引き出し可能なドロワを有し、ドロワにシート状の用紙を積層した状態に収容する用紙カセットが着脱可能とされ、用紙カセットから用紙が繰り出される給紙部であって、ドロワは、用紙カセットが所定位置に載置される位置決めトレイ２４と、装置ケースに固定されて位置決めトレイ２４をスライド可能に支持するベーストレイ２１と、ベーストレイ２１に対して位置決めトレイ２４を所定位置に位置決めする第１位置決め手段、第２位置決め手段及び第３位置決め手段とを備え、位置決めトレイ２４を３カ所にて高さ方向及び平面方向に位置決めする。【選択図】図５
2008127192.tif 000002
【特許請求の範囲】
【請求項１】
装置ケースから側方へ引き出し可能なドロワを有し、前記ドロワにシート状の媒体を積層した状態に収容するカセットが着脱可能とされ、前記カセットから前記媒体が繰り出される給紙部であって、
前記ドロワは、前記カセットが所定位置に載置される位置決めトレイと、前記装置ケースに固定されて前記位置決めトレイをスライド可能に支持するベーストレイと、前記ベーストレイに対して前記位置決めトレイを所定位置に位置決めする位置決め手段とを備えたことを特徴とする給紙部。
【請求項２】
請求項１に記載の給紙部であって、
前記位置決め手段は、面方向における３カ所に設けられていることを特徴とする給紙部。
【請求項３】
請求項２に記載の給紙部であって、
前記位置決め手段は、前記ベーストレイの底板に立設された位置決めピンと、前記位置決めトレイの底板に形成された位置決め溝とからなり、前記位置決めピンの所定高さ位置に形成されたくびれ部に前記位置決め溝が側方から係合することにより、前記位置決めトレイが前記ベーストレイに対して高さ方向及び面方向に位置決めされることを特徴とする給紙部。
【請求項４】
請求項３に記載の給紙部であって、
前記位置決め手段の内の１カ所が、前記ベーストレイに対して前記位置決めトレイが平面内にて回転する回転中心用位置決め手段とされ、他の位置決め手段の内の１カ所が前記回転中心回りの回転を規制する回り止め用位置決め手段とされていることを特徴とする給紙部。
【請求項５】
請求項４に記載の給紙部であって、
前記回転中心用位置決め手段は、前記位置決め溝がＵ字状に形成され、付勢手段によって前記位置決めピン方向へ付勢されて前記位置決め溝の円弧部分が前記位置決めピンのくびれ部に当接されることを特徴とする給紙部。
【請求項６】
請求項４または請求項５に記載の給紙部であって、
前記回り止め用位置決め手段は、前記位置決めピンのくびれ部の直径よりも僅かに大きな幅寸法の位置決め溝を有し、前記位置決め溝に前記位置決めピンのくびれ部がほぼ隙間なく係合されることを特徴とする給紙部。
【請求項７】
請求項１から６のいずれか１項に記載の給紙部のカセットから繰り出された媒体に記録処理を施すことを特徴とする記録装置。
【発明の詳細な説明】
【技術分野】
【０００１】
本発明は、用紙等のシート状の媒体を積層させて収容するカセットが装填される給紙部及びそれを備えた記録装置に関する。
【背景技術】
【０００２】
プリンタ、複写機あるいはファクシミリ等のシート状の媒体である用紙に文字や画像を記録する記録装置は、給紙する用紙が収容可能な給紙部を備えており、この給紙部に、用紙を積層状態で収容するカセットを記録装置の装填口から装填されるようになっている。
この種の記録装置の給紙部としては、装置ケースから引き出し可能なドロワを備え、この引き出したドロワにカセットを着脱させるものが知られている（例えば、特許文献１参照）。
【特許文献１】特開平８−１６９５７１号公報
【発明の開示】
【発明が解決しようとする課題】
【０００３】
ところで、給紙部の用紙を円滑に給紙して記録装置の記録処理部にて良好に記録処理を施すためには、給紙部にて用紙を精度良く位置決めする必要があるが、用紙カセットが設置されるドロワは、レールによって引き出される構造とされているため、その位置決め精度が低く、このため、用紙が円滑に送り出されない給紙不良や、用紙に対して斜めに記録されるような記録処理不良などの不具合が生じる恐れがあった。
【０００４】
本発明は、上記事情に鑑みてなされたもので、媒体を高精度に位置決めし、給紙不良や記録処理不良を生じることなく、給紙及び記録処理を円滑かつ良好に行うことが可能な給紙部及びそれを備えた記録装置を提供することを目的としている。
【課題を解決するための手段】
【０００５】
上記目的を達成するために、本発明の給紙部は、装置ケースから側方へ引き出し可能なドロワを有し、前記ドロワにシート状の媒体を積層した状態に収容するカセットが着脱可能とされ、前記カセットから前記媒体が繰り出される給紙部であって、前記ドロワは、前記カセットが所定位置に載置される位置決めトレイと、前記装置ケースに固定されて前記位置決めトレイをスライド可能に支持するベーストレイと、前記ベーストレイに対して前記位置決めトレイを所定位置に位置決めする位置決め手段とを備えたことを特徴とする。
【０００６】
この構成の給紙部によれば、装置ケースに固定されたベーストレイに対してスライド可能な位置決めトレイが位置決め手段によってベーストレイに対して所定位置に位置決めされるので、装置ケースに対して位置決めトレイに載置させたカセットを所定位置に設置することができる。これにより、このカセットから媒体を円滑かつ良好に繰り出すことができる。
【０００７】
また、前記位置決め手段は、面方向における３カ所に設けられていることが好ましい。
この構成によれば、面方向の３カ所の位置決め手段によって位置決めトレイをベーストレイに対して高精度に位置決めすることができる。
【０００８】
さらに、前記位置決め手段は、前記ベーストレイの底板に立設された位置決めピンと、前記位置決めトレイの底板に形成された位置決め溝とからなり、前記位置決めピンの所定高さ位置に形成されたくびれ部に前記位置決め溝が側方から係合することにより、前記位置決めトレイが前記ベーストレイに対して高さ方向及び面方向に位置決めされることが好ましい。
この構成によれば、位置決めピンのくびれ部へ位置決めトレイの位置決め溝を係合させることにより、位置決めトレイをベーストレイに対して高さ方向及び面方向に位置決めすることができる。
【０００９】
また、前記位置決め手段の内の１カ所が、前記ベーストレイに対して前記位置決めトレイが平面内にて回転する回転中心用位置決め手段とされ、他の位置決め手段の内の１カ所が前記回転中心回りのて回転を規制する回り止め用位置決め手段とされていることが好ましい。
この構成によれば、位置決めトレイがベーストレイに対して、回転中心用位置決め手段にて平面内における回転中心とされ、また、その回転が回り止め用位置決め手段にて規制されるので、位置決めトレイをベーストレイに対して高さ方向のみならず面方向へ精度良く位置決めすることができる。
【００１０】
また、前記回転中心用位置決め手段は、前記位置決め溝がＵ字状に形成され、付勢手段によって前記位置決めピン方向へ付勢されて前記位置決め溝の円弧部分が前記位置決めピンのくびれ部に当接されることが好ましい。
この構成によれば、位置決め溝の円弧部分が位置決めピンのくびれ部に付勢されて当接されるので、回転中心用位置決め手段を確実に回転中心とすることができる。
【００１１】
また、前記回り止め用位置決め手段は、前記位置決めピンのくびれ部の直径よりも僅かに幅寸法の大きな位置決め溝を有し、前記位置決め溝に前記位置決めピンのくびれ部がほぼ隙間なく係合されることが好ましい。
この構成によれば、位置決め溝に位置決めピンのくびれ部がほぼ隙間なく係合されるので、回転中心用位置決め手段が回転中心とされた位置決めトレイに対して回り止め用位置決め手段が回り止めとなり、位置決めトレイの平面内における位置決めを高精度にて行うことができる。
【００１２】
また、本発明の記録装置は、上記の給紙部のカセットから繰り出された媒体に記録処理を施すことを特徴とする。
この構成の記録装置によれば、装置ケースに対してカセットを高精度に位置決めすることができ、これにより、給紙不良や記録処理不良を生じることなく、媒体を給紙して、記録処理を円滑かつ良好に行うことができる。
【発明を実施するための最良の形態】
【００１３】
以下、本発明の一実施形態に係る給紙部及びそれを備えた記録装置について図面を参照しつつ詳細に説明する。
なお、本実施形態では、記録装置として印刷処理を行うインクジェットプリンタ等のプリンタを例示している。本発明の記録装置としては、プリンタ以外にも、例えば複写機あるいはファクシミリ等が挙げられる。また、本実施形態では、印刷を施すシート状の媒体として、用紙を例にとって説明する。
【００１４】
図１は本発明に係るプリンタの実施形態の外観斜視図、図２はドロワを引き出した状態のプリンタの外観斜視図である。
本実施形態のプリンタ（記録装置）１は、業務用のインクジェット式プリンタであり、図１に示すように、装置ケース２の前面には、外方側へ開閉可能な開閉扉３を有する窓部４が設けられており、図２に示すように、開閉扉３を開いた状態にて、装置ケース２に対して側方へ進退可能に設けられたドロワ５が引き出される。
【００１５】
ドロワ５には、用紙Ｐを積層状態にて収容した用紙カセット６が所定位置に位置決めされて取り付けられており、この用紙カセット６内の用紙Ｐは、装置内部の記録処理部にて印刷処理されて、装置ケース２の側面の排紙口７から排紙される。
つまり、これらドロワ５及び用紙カセット６がプリンタ１の給紙部とされ、この給紙部の用紙カセット６に収容された用紙Ｐが繰り出される。
なお、用紙カセット６は、ドロワ５に着脱可能とされており、サイズ等の異なる各種の用紙Ｐ毎に用意され、印刷処理に要求される種類の用紙Ｐを収容した用紙カセット６がドロワ５に取り付けられる。
【００１６】
用紙カセット６は、上部が開口した箱形のカセット本体１１を有し、このカセット本体１１の内部は、用紙Ｐを積層して収容する収容空間Ｓとされ、用紙ガイド１２によって整列状態に収納可能とされている。この収容空間Ｓ内には、図示しない用紙昇降機構が設けられており、この用紙昇降機構によって収容空間Ｓ内に積層状態にて収容された用紙Ｐの最上部が所定の高さ位置とされる。
【００１７】
次に、用紙カセット６がセットされるドロワ５の具体的な構造について説明する。
図３は収納状態のドロワの斜視図、図４は引き出した状態のドロワの斜視図、図５はベーストレイ及び位置決めトレイを示す斜視図、図６は第１位置決め手段の位置決め構造を示す側断面図、図７は第１位置決め手段の位置決め構造を示す平面図、図８は第１位置決め手段の位置決め構造を示す上面側から視た斜視図、図９は第２位置決め手段の位置決め構造を示す側断面図、図１０は第２位置決め手段の位置決め構造を示す平面図、図１１は第３位置決め手段の位置決め構造を示す側断面図、図１２は第３位置決め手段の位置決め構造を示す平面図である。
【００１８】
図３及び図４に示すように、ドロワ５は、プリンタ１の装置ケース２に固定されたベーストレイ２１を有しており、このベーストレイ２１に対して連結トレイ２３がスライド可能に連結され、この連結トレイ２３に対して位置決めトレイ２４がスライド可能に連結されている。
【００１９】
ベーストレイ２１は、底板３１と、この底板３１の両側部に立設された側板３２とを有しており、側板３２には、その上縁を内側へ屈曲してなる係合片３３が形成されている。そして、このベーストレイ２１は、底板３１及び側板３２が、装置ケース２の所定の場所に位置決めされて固定されている。
【００２０】
連結トレイ２３は、底板４１と、この底板４１の両側部に立設された側板４２とを有しており、側板４２には、その上縁を内側へ屈曲してなる係止片４３が形成されている。そして、この連結トレイ２３は、ベーストレイ２１の一端側から差し込まれ、その両側部がベーストレイ２１の両側部に係合され、これにより、連結トレイ２３は、ベーストレイ２１に対してスライド可能とされている。なお、連結トレイ２３には、引き出し方向後方側の端部近傍に、ベーストレイ２１に係止して、このベーストレイ２１からの抜け落ちを防止する係止部（図示略）が設けられている。
【００２１】
位置決めトレイ２４は、底板６１と、この底板６１の両側部に立設された側板６２とを有しており、引き出し方向前方側の一端側には、端板６３が設けられている。また、この位置決めトレイ２４の側板６２には、その外面にレール６４が設けられている。
そして、この位置決めトレイ２４は、連結トレイ２３の一端側から差し込まれ、側板６２に設けられたレール６４が、連結トレイ２３の側板４２の内面側に設けられた図示しないローラによってスライド可能に支持されている。なお、位置決めトレイ２４には、引き出し方向後方側の端部近傍に、連結トレイ２３に係止して、この連結トレイ２３からの抜け落ちを防止する係止部（図示略）が設けられている。
【００２２】
そして、上記のドロワ５では、装置ケース２に対して位置決めトレイ２４を把持して引き出すことにより、手前に伸長して装置ケース２から延在され、位置決めトレイ２４を装置ケース２側へ押し込むことにより、収縮して装置ケース２内に収容される。
【００２３】
図５に示すように、ベーストレイ２１には、第１位置決め部７１、第２位置決め部７２及び第３位置決め部７３を有している。これに対して、位置決めトレイ２４には、第１被位置決め部７４、第２被位置決め部７５及び第３被位置決め部７６を有している。
そして、ベーストレイ２１の第１位置決め部７１と位置決めトレイ２４の第１被位置決め部７４とが第１位置決め手段とされ、ベーストレイ２１の第２位置決め部７２と位置決めトレイ２４の第２被位置決め部７５とが第２位置決め手段とされ、ベーストレイ２１の第３位置決め部７３と位置決めトレイ２４の第３被位置決め部７６とが第３位置決め手段とされており、ベーストレイ２１の第１位置決め部７１、第２位置決め部７２及び第３位置決め部７３が、それぞれ位置決めトレイ２４の第１被位置決め部７４、第２被位置決め部７５及び第３被位置決め部７６を位置決めする。
【００２４】
図６から図８に示すように、第１位置決め部７１は、ベーストレイ２１の底板３１にて下方へ凹む凹部８１と、この凹部８１の底部８１ａに立設された位置決めピン８２とを有している。位置決めピン８２は、その上端位置が、ベーストレイ２１の底板３１の表面よりも下方に配置されており、所定の高さ位置に、小径に形成されたくびれ部８２ａを有している。また、位置決めピン８２には、くびれ部８２ａとの縁部に、くびれ部８２ａ側へ向かって次第に縮径するテーパ部８２ｂが形成されている。
【００２５】
第１被位置決め部７４は、位置決めトレイ２４の底板６１に形成された窓部８３の縁部にて、下方へ凹む凹部８４を有し、この凹部８４の底部８４ａには、装置ケース２側への押し込み方向側の縁部が開放された平面視Ｕ字状の位置決め溝８５が形成されている。この第１被位置決め部７４の凹部８４の底部８４ａは、その高さ位置が、第１位置決め部７１の位置決めピン８２のくびれ部８２ａと同一高さ位置に配置されている。これにより、位置決めトレイ２４を装置ケース２側へ押し込むことにより、第１被位置決め部７４の位置決め溝８５に、第１位置決め部７１の位置決めピン８２のくびれ部８２ａが係合する。
【００２６】
また、位置決めトレイ２４には、ロック機構９１が設けられている。このロック機構９１は、位置決めトレイ２４の底板６１に立設された一対のブラケット９２と、このブラケット９２に支持された位置決めトレイ２４のスライド方向と直交する支持シャフト９３と、この支持シャフト９３に、その軸線を中心として回動可能に支持されたロック片９４とを有しており、このロック片９４は、図示しないバネ等の付勢手段によって下方側へ付勢されている。ロック片９４は、その先端に、側面視Ｖ字状の係合突起９４ａを有しており、この係合突起９４ａが窓部８３を介して底板６１の下方側へ突出している。
【００２７】
そして、位置決めトレイ２４を装置ケース２側へ押し込んだ収容状態にて、ロック片９４の係合突起９４ａが、ベーストレイ２１の底板３１に形成された角孔９５に入り込み、角孔９５の引き出し方向側の縁部９５ａとの係合力によって位置決めトレイ２４の収容状態が維持される。
【００２８】
このように、ロック片９４の係合突起９４ａが角孔９５に入り込んで角孔９５の引き出し方向側の縁部９５ａに、Ｖ字状の係合突起９４ａのテーパ面が係合することにより、ベーストレイ２１に対して位置決めトレイ２４に引き込み力が生じ、位置決め溝８５のＵ字を構成する円弧部分８５ａが位置決めピン８２のくびれ部８２ａに当接し、この当接箇所が位置決めトレイ２４の平面内における回転中心とされる。つまり、第１位置決め部７１及び第１被位置決め部７４からなる第１位置決め手段が、回転中心用位置決め手段とされている。
【００２９】
図９及び図１０に示すように、第２位置決め部７２は、ベーストレイ２１の底板３１にて下方へ凹む凹部１０１と、この凹部１０１の底部１０１ａに立設された位置決めピン１０２とを有している。位置決めピン１０２は、その上端が、ベーストレイ２１の底板３１の表面から上方へ突出されており、底板３１の表面よりも上方における位置決めトレイ２４の底板６１と略同一高さ位置である所定の高さ位置に、小径に形成されたくびれ部１０２ａを有している。また、位置決めピン１０２には、くびれ部１０２ａとの縁部に、くびれ部１０２ａ側へ向かって次第に縮径するテーパ部１０２ｂが形成されている。
【００３０】
第２被位置決め部７５は、位置決めトレイ２４の底板６１に形成された平面視Ｕ字状の位置決め溝１０５を有するもので、この位置決め溝１０５は、位置決めトレイ２４の装置ケース２側への押し込み方向側の縁部が開放されている。
そして、位置決めトレイ２４を装置ケース２側へ押し込むことにより、第２被位置決め部７５の位置決め溝１０５に、第２位置決め部７２の位置決めピン１０２のくびれ部１０２ａが係合する。
【００３１】
ここで、位置決め溝１０５の幅寸法は、位置決めピン１０２のくびれ部１０２ａの直径よりも僅かに大きく形成されており、これにより、位置決め溝１０５には、位置決めピン１０２のくびれ部１０２ａが、ほぼ隙間なく係合し、第１位置決め手段を回転中心とした位置決めトレイ２４の回転が規制される。つまり、第２位置決め部７２及び第２被位置決め部７５からなる第２位置決め手段が、回り止め用位置決め手段とされている。
【００３２】
図１１及び図１２に示すように、第３位置決め部７３は、ベーストレイ２１の底板３１にて下方へ凹む凹部１１１と、この凹部１１１の底部１１１ａに立設された位置決めピン１１２とを有している。位置決めピン１１２は、その上端が、ベーストレイ２１の底板３１の表面から上方へ突出されており、底板３１の表面よりも上方における位置決めトレイ２４の底板６１と略同一高さ位置である所定の高さ位置に、小径に形成されたくびれ部１１２ａを有している。また、位置決めピン１１２には、くびれ部１１２ａとの縁部に、くびれ部１１２ａ側へ向かって次第に縮径するテーパ部１１２ｂが形成されている。
【００３３】
第３被位置決め部７６は、位置決めトレイ２４の底板６１に形成された平面視Ｕ字状の位置決め溝１１５を有するもので、この位置決め溝１１５は、位置決めトレイ２４の装置ケース２側への押し込み方向側の縁部が開放されている。
そして、位置決めトレイ２４を装置ケース２側へ押し込むことにより、第３被位置決め部７６の位置決め溝１１５に、第３位置決め部７３の位置決めピン１１２のくびれ部１１２ａが係合する。
【００３４】
ここで、位置決め溝１１５の幅寸法は、位置決めピン１１２のくびれ部１１２ａの直径よりも十分に大きく形成されており、これにより、位置決め溝１１５には、位置決めピン１１２のくびれ部１１２ａが、クリアランスを有した状態にて係合する。
【００３５】
上記構成の給紙部では、引き出したドロワ５を、その位置決めトレイ２４を押し込んで収縮させて装置ケース２内に収容すると、位置決めトレイ２４の第１被位置決め部７４、第２被位置決め部７５及び第３被位置決め部７５の位置決め溝８５，１０５，１１５に、ベーストレイ２１の第１位置決め部７１、第２位置決め部７２及び第３位置決め部７３の位置決めピン８２，１０２，１１２のくびれ部８２ａ，１０２ａ，１１２ａが、テーパ部８２ｂ，１０２ｂ，１１２ｂに案内されながら係合する。これにより、位置決めトレイ２４は、ベーストレイ２１に対して、３カ所にて高さ方向に位置決めされる。
【００３６】
また、位置決めトレイ２４を押し込んで装置ケース２内に収容すると、ロック機構９１の付勢手段によって下方へ付勢されたロック片９４の係合突起９４ａが角孔９５に入り込む。これにより、角孔９５の引き出し方向側の縁部９５ａに、Ｖ字状の係合突起９４ａのテーパ面が係合し、ベーストレイ２１に対して位置決めトレイ２４に引き込み力が生じ、位置決め溝８５のＵ字を構成する円弧部分８５ａが位置決めピン８２のくびれ部８２ａに当接し、位置決めトレイ２４がベーストレイ２１に対して、押し込み方向へ位置決めされる。
【００３７】
また、このとき、この位置決め溝８５の円弧部分８５ａと位置決めピン８２のくびれ部８２ａとの当接箇所が回転中心となるが、位置決め溝１０５に位置決めピン１０２のくびれ部１０２ａがほぼ隙間なく係合することにより、ベーストレイ２１に対する位置決め溝８５の円弧部分８５ａと位置決めピン８２のくびれ部８２ａとの当接箇所を回転中心とした位置決めトレイ２４の回転が規制され、ベーストレイ２１に対する回転方向の位置決めが行われる。
【００３８】
このように、上記実施形態によれば、引き出したドロワ５を、その位置決めトレイ２４を押し込んで収縮させて装置ケース２内に収容すると、位置決めトレイ２４は、第１被位置決め部７４、第２被位置決め部７５及び第３被位置決め部７５に対するベーストレイ２１の第１位置決め部７１、第２位置決め部７２及び第３位置決め部７３の３カ所での位置決めにより、装置ケース２に固定されたベーストレイ２１に対して、高さ方向のみならず、平面内におけるスライド方向及び回転方向に位置決めされる。
したがって、このドロワ５の位置決めトレイ２４の所定位置に取り付けられる用紙カセット６を、装置ケース２に対して所定位置に高精度に位置決めされた状態に装填することができる。これにより、用紙Ｐを高精度に位置決めし、給紙不良や記録処理不良を生じることなく、給紙及び記録処理を円滑かつ良好に行うことができる。
【００３９】
特に、第１位置決め部７１及び第１被位置決め部７４からなる第１位置決め手段では、位置決め溝８５の円弧部分８５ａが位置決めピン８２のくびれ部８２ａに付勢されて当接されるので、確実に回転中心とすることができる。
また、第２位置決め部７２及び第２被位置決め部７５からなる第２位置決め手段では、位置決め溝１０５に位置決めピン１０２のくびれ部１０２ａがほぼ隙間なく係合されるので、第１位置決め手段にて回転中心とされた位置決めトレイ２４に対して確実に回り止めとなり、位置決めトレイ２４の平面内における位置決めを高精度にて行うことができる。
【００４０】
なお、上記実施形態では、記録装置として、インクジェット式プリンタを例にとって説明したが、本発明は、インクジェット式に限定されず、例えば、ドットインパクトプリンタ等にも適用でき、さらには、プリンタ以外にも、例えば複写機あるいはファクシミリ等にも適用できる。
【００４１】
また、上記実施形態では、シート状の媒体として、用紙を例にとって説明したが、本発明は、樹脂製のフィルム等からなる媒体も適用可能である。
【図面の簡単な説明】
【００４２】
【図１】本発明に係るプリンタの実施形態の外観斜視図である。
【図２】ドロワを引き出した状態のプリンタの外観斜視図である。
【図３】収納状態のドロワの斜視図である。
【図４】引き出した状態のドロワの斜視図である。
【図５】ベーストレイ及び位置決めトレイを示す斜視図である。
【図６】第１位置決め手段の位置決め構造を示す側断面図である。
【図７】第１位置決め手段の位置決め構造を示す平面図である。
【図８】第１位置決め手段の位置決め構造を示す上面側から視た斜視図である。
【図９】第２位置決め手段の位置決め構造を示す側断面図である。
【図１０】第２位置決め手段の位置決め構造を示す平面図である。
【図１１】第３位置決め手段の位置決め構造を示す側断面図である。
【図１２】第３位置決め手段の位置決め構造を示す平面図である。
【符号の説明】
【００４３】
１…プリンタ（記録装置）、２…装置ケース、５…ドロワ（給紙部）、６…用紙カセット（カセット，給紙部）、２１…ベーストレイ、２４…位置決めトレイ、３１，６１…底板、７１…第１位置決め部（位置決め手段，回転中心用位置決め手段）、７２…第２位置決め部（位置決め手段，回り止め用位置決め手段）、７３…第３位置決め部（位置決め手段）、７４…第１被位置決め部（位置決め手段，回転中心用位置決め手段）、７５…第２被位置決め部（位置決め手段，回り止め用位置決め手段）、７６…第３被位置決め部（位置決め手段）、８２，１０２，１１２…位置決めピン、８２ａ，１０２ａ，１１２ａ…くびれ部、８５，１０５，１１５…位置決め溝、Ｐ…用紙（媒体）。
【図１】
2008127192.tif 000003
【図２】
2008127192.tif 000004
【図３】
2008127192.tif 000005
【図４】
2008127192.tif 000006
【図５】
2008127192.tif 000007
【図６】
2008127192.tif 000008
【図７】
2008127192.tif 000009
【図８】
2008127192.tif 000010
【図９】
2008127192.tif 000011
【図１０】
2008127192.tif 000012
【図１１】
2008127192.tif 000013
【図１２】
2008127192.tif 000014